(57)【要約】【課題】セキュリティ性および利便性を向上させ得る入退室管理システムを提供する。【解決手段】ＩＣカード１３に記録される許可者情報には、第１の許可レベルとこの第１の許可レベルよりもセキュリティレベルが高い第２の許可レベルとのいずれか一方が含まれる。そして、入室用カードリーダ２３により第１の許可レベルの許可者情報が読み取られたとき、メモリ２７に記憶された入室履歴に応じて第２の許可レベルの入室者（管理者Ｐｍ）が検出される場合に、制御装置２５により電気錠２１が解錠状態になる。【選択図】図３
2011179250.tif 000002
【特許請求の範囲】
【請求項１】
利用者の許可者情報が記録されている記録媒体の読み取りに応じて扉に設けられた電気錠の施解錠を行う入退室管理システムにおいて、
前記許可者情報には、第１の許可レベルとこの第１の許可レベルよりもセキュリティレベルが高い第２の許可レベルとのいずれか一方が含まれ、
入室時における前記記録媒体の前記許可者情報を読み取る入室時読取手段と、
退出時における前記記録媒体の前記許可者情報を読み取る退出時読取手段と、
前記入室時読取手段および前記退出時読取手段による読取履歴に応じて入室者の許可レベルを検出する検出手段と、
前記電気錠を施錠状態およびこの施錠状態が解除される解錠状態のいずれかに制御する制御手段と、を備え、
前記制御手段は、前記入室時読取手段により前記第１の許可レベルの前記許可者情報が読み取られたとき、前記検出手段により前記第２の許可レベルの入室者が検出される場合に、前記電気錠を前記解錠状態にすることを特徴とする入退室管理システム。
【請求項２】
前記制御手段は、前記入室時読取手段により前記第２の許可レベルの前記許可者情報が読み取られたとき、前記検出手段による検出結果を考慮することなく、前記電気錠を前記解錠状態にすることを特徴とする請求項１に記載の入退室管理システム。
【請求項３】
前記制御手段は、前記退室時読取手段により前記第２の許可レベルの前記許可者情報が読み取られたとき、前記検出手段により他の前記第２の許可レベルの入室者が検出される場合に、前記電気錠を前記解錠状態にすることを特徴とする請求項１または２に記載の入退室管理システム。
【請求項４】
前記制御手段は、前記退室時読取手段により前記第１の許可レベルの前記許可者情報が読み取られたとき、前記検出手段による検出結果を考慮することなく、前記電気錠を前記解錠状態にすることを特徴とする請求項３に記載の入退室管理システム。
【請求項５】
前記制御手段は、前記退室時読取手段により前記第２の許可レベルの前記許可者情報が読み取られたとき、前記検出手段により前記第１の許可レベルの入室者のみが検出される場合に、前記電気錠を前記施錠状態にすることを特徴とする請求項１〜４のいずれか一項に記載の入退室管理システム。
【請求項６】
前記許可者情報には、前記第１の許可レベルおよび前記第２の許可レベルと、前記第２の許可レベルよりもセキュリティレベルが高い第３の許可レベルとのいずれか１つが含まれ、
前記制御手段は、前記入室時読取手段により前記第１の許可レベルおよび前記第２の許可レベルのいずれか一方の前記許可者情報が読み取られたとき、前記検出手段により前記第３の許可レベルの入室者が検出される場合に、前記電気錠を前記解錠状態にすることを特徴とする請求項１〜５のいずれか一項に記載の入退室管理システム。
【請求項７】
前記制御手段は、前記退室時読取手段により前記第２の許可レベルの前記許可者情報が読み取られたとき、前記検出手段により他の前記第２の許可レベルの入室者または前記第３の許可レベルの入室者が検出される場合に、前記電気錠を前記解錠状態にすることを特徴とする請求項６に記載の入退室管理システム。
【請求項８】
前記制御手段は、前記退室時読取手段により前記第３の許可レベルの前記許可者情報が読み取られたとき、前記検出手段により前記第２の許可レベルの入室者または他の前記第３の許可レベルの入室者が検出される場合に、前記電気錠を前記解錠状態にすることを特徴とする請求項６に記載の入退室管理システム。
【請求項９】
前記制御手段は、前記退室時読取手段により前記第２の許可レベルまたは前記第３の許可レベルの前記許可者情報が読み取られたとき、前記検出手段により前記第１の許可レベルの入室者のみが検出される場合に、前記電気錠を前記施錠状態にすることを特徴とする請求項６〜８のいずれか一項に記載の入退室管理システム。
【発明の詳細な説明】
【技術分野】
【０００１】
本発明は、利用者の許可者情報が記録されている記録媒体の読み取りに応じて扉に設けられた電気錠の施解錠を行う入退室管理システムに関する。
【背景技術】
【０００２】
従来、利用者の許可者情報が記録されている記録媒体の読み取りに応じて扉に設けられた電気錠の施解錠を行う入退室管理システムに関する技術として、下記特許文献１に示す安全システムが知られている。この安全システムでは、管理室への入場時、管理室外の外部リーダにて利用者ＩＣタグに記憶された鍵情報が読み取られた時間と、管理室内の第２内部リーダにて管理者ＩＣタグに記憶された鍵情報が読み取られた時間とが略同時であって、上記鍵情報が予め制御装置に記憶された鍵情報と一致している場合に、施錠装置が解除されるように構成されている。また、この安全システムでは、管理室からの退場時、第１内部リーダにて利用者ＩＣタグに記憶されている鍵情報が読み取られ、かつ、その読み取られた鍵情報が、予め制御装置に記憶された鍵情報と一致している場合に、施錠装置が解除される。
【先行技術文献】
【特許文献】
【０００３】
【特許文献１】特開２００８−０６３７５７号公報
【発明の概要】
【発明が解決しようとする課題】
【０００４】
ところで、上述のようなシステムを採用した入退室管理システムでは、利用者ＩＣタグを有する従事者（一般利用者）が入室するごとに、管理者（キーパーソン）が管理者ＩＣタグを第２内部リーダに都度読み取らせる必要があるため、管理者への負荷が高くなり利便性について問題がある。また、管理者は従事者のみを部屋に残して退室することができるため、セキュリティ的に問題がある。
【０００５】
本発明は、上述した課題を解決するためになされたものであり、その目的とするところは、セキュリティ性および利便性を向上させ得る入退室管理システムを提供することにある。
【課題を解決するための手段】
【０００６】
上記目的を達成するため、特許請求の範囲に記載の請求項１の入退室管理システムでは、利用者の許可者情報が記録されている記録媒体の読み取りに応じて扉に設けられた電気錠の施解錠を行う入退室管理システムにおいて、前記許可者情報には、第１の許可レベルとこの第１の許可レベルよりもセキュリティレベルが高い第２の許可レベルとのいずれか一方が含まれ、入室時における前記記録媒体の前記許可者情報を読み取る入室時読取手段と、退出時における前記記録媒体の前記許可者情報を読み取る退出時読取手段と、前記入室時読取手段および前記退出時読取手段による読取履歴に応じて入室者の許可レベルを検出する検出手段と、前記電気錠を施錠状態およびこの施錠状態が解除される解錠状態のいずれかに制御する制御手段と、を備え、前記制御手段は、前記入室時読取手段により前記第１の許可レベルの前記許可者情報が読み取られたとき、前記検出手段により前記第２の許可レベルの入室者が検出される場合に、前記電気錠を前記解錠状態にすることを特徴とする。
【０００７】
請求項２の発明は、請求項１に記載の入退室管理システムにおいて、前記制御手段は、前記入室時読取手段により前記第２の許可レベルの前記許可者情報が読み取られたとき、前記検出手段による検出結果を考慮することなく、前記電気錠を前記解錠状態にすることを特徴とする。
【０００８】
請求項３の発明は、請求項１または２に記載の入退室管理システムにおいて、前記制御手段は、前記退室時読取手段により前記第２の許可レベルの前記許可者情報が読み取られたとき、前記検出手段により他の前記第２の許可レベルの入室者が検出される場合に、前記電気錠を前記解錠状態にすることを特徴とする。
【０００９】
請求項４の発明は、請求項３に記載の入退室管理システムにおいて、前記制御手段は、前記退室時読取手段により前記第１の許可レベルの前記許可者情報が読み取られたとき、前記検出手段による検出結果を考慮することなく、前記電気錠を前記解錠状態にすることを特徴とする。
【００１０】
請求項５の発明は、請求項１〜４のいずれか一項に記載の入退室管理システムにおいて、前記制御手段は、前記退室時読取手段により前記第２の許可レベルの前記許可者情報が読み取られたとき、前記検出手段により前記第１の許可レベルの入室者のみが検出される場合に、前記電気錠を前記施錠状態にすることを特徴とする。
【００１１】
請求項６の発明は、請求項１〜５のいずれか一項に記載の入退室管理システムにおいて、前記許可者情報には、前記第１の許可レベルおよび前記第２の許可レベルと、前記第２の許可レベルよりもセキュリティレベルが高い第３の許可レベルとのいずれか１つが含まれ、前記制御手段は、前記入室時読取手段により前記第１の許可レベルおよび前記第２の許可レベルのいずれか一方の前記許可者情報が読み取られたとき、前記検出手段により前記第３の許可レベルの入室者が検出される場合に、前記電気錠を前記解錠状態にすることを特徴とする。
【００１２】
請求項７の発明は、請求項６に記載の入退室管理システムにおいて、前記制御手段は、前記退室時読取手段により前記第２の許可レベルの前記許可者情報が読み取られたとき、前記検出手段により他の前記第２の許可レベルの入室者または前記第３の許可レベルの入室者が検出される場合に、前記電気錠を前記解錠状態にすることを特徴とする。
【００１３】
請求項８の発明は、請求項６に記載の入退室管理システムにおいて、前記制御手段は、前記退室時読取手段により前記第３の許可レベルの前記許可者情報が読み取られたとき、前記検出手段により前記第２の許可レベルの入室者または他の前記第３の許可レベルの入室者が検出される場合に、前記電気錠を前記解錠状態にすることを特徴とする。
【００１４】
請求項９の発明は、請求項６〜８のいずれか一項に記載の入退室管理システムにおいて、前記制御手段は、前記退室時読取手段により前記第２の許可レベルまたは前記第３の許可レベルの前記許可者情報が読み取られたとき、前記検出手段により前記第１の許可レベルの入室者のみが検出される場合に、前記電気錠を前記施錠状態にすることを特徴とする。
【発明の効果】
【００１５】
請求項１の発明では、記録媒体に記録される許可者情報には、第１の許可レベルとこの第１の許可レベルよりもセキュリティレベルが高い第２の許可レベルとのいずれか一方が含まれる。そして、入室時読取手段により第１の許可レベルの許可者情報が読み取られたとき、検出手段により読取履歴に応じて第２の許可レベルの入室者が検出される場合に、制御手段により、電気錠が解錠状態になる。
【００１６】
これにより、第１の許可レベルの許可者情報が記録される記録媒体を所有する利用者（以下、従事者ともいう）は、第２の許可レベルの許可者情報が記録される記録媒体を所有する利用者（以下、管理者ともいう）が入室していれば、その許可者情報の読み取りに応じて電気錠が解錠状態になり入室が許可されるので、セキュリティに関する管理者の負荷を軽減することができる。また、従事者は、管理者が入室していなければ、電気錠が解錠状態にならないので、セキュリティ性を確保することができる。
したがって、入退室管理システムにおけるセキュリティ性および利便性を向上させることができる。
【００１７】
請求項２の発明では、入室時読取手段により第２の許可レベルの許可者情報が読み取られたとき、検出手段による検出結果を考慮することなく、制御手段により、電気錠が解錠状態になる。これにより、管理者であれば、入室時に上記読取履歴に応じて入室者の許可レベルを検出することもないので、スムーズに入室することができる。
【００１８】
請求項３の発明では、退室時読取手段により第２の許可レベルの許可者情報が読み取られたとき、検出手段により他の第２の許可レベルの入室者（管理者）が検出される場合に、制御手段により、電気錠が解錠状態になる。これにより、管理者は、他の管理者が入室している場合には、電気錠が解錠状態になり退室が許可されるので、従事者のみが入室している状態をなくしてセキュリティ性を向上させることができる。
【００１９】
請求項４の発明では、退室時読取手段により第１の許可レベルの許可者情報が読み取られたとき、検出手段による検出結果を考慮することなく、制御手段により、電気錠が解錠状態になる。これにより、従事者であれば、退室時に上記読取履歴に応じて入室者の許可レベルを検出することもないので、スムーズに退室することができる。
【００２０】
請求項５の発明では、退室時読取手段により第２の許可レベルの許可者情報が読み取られたとき、検出手段により第１の許可レベルの入室者（従事者）のみが検出される場合に、制御手段により、電気錠が施錠状態になる。これにより、管理者は、自分が退室すると従事者のみが入室している状態になる場合には、電気錠が施錠状態になり退室が許可されないので、従事者のみが入室している状態をなくしてセキュリティ性を向上させることができる。
【００２１】
請求項６の発明では、許可者情報には、第１の許可レベルおよび第２の許可レベルと、第２の許可レベルよりもセキュリティレベルが高い第３の許可レベルとのいずれか１つが含まれる。そして、入室時読取手段により第１の許可レベルおよび２の許可レベルのいずれか一方の許可者情報が読み取られたとき、検出手段により読取履歴に応じて第３の許可レベルの入室者が検出される場合に、制御手段により、電気錠が解錠状態になる。
【００２２】
これにより、第２の許可レベルの許可者情報を有する者を副管理者、第３の許可レベルの許可者情報を有する者を主管理者として、複数人の管理者に対して許可レベルを変える場合、従事者または副管理者は、主管理者が入室していれば、電気錠が解錠状態になり入室が許可されるので、セキュリティに関する主管理者の負荷を軽減することができる。また、従事者または副管理者は、主管理者が入室していなければ、電気錠が解錠状態にならないので、セキュリティ性を確保することができる。
【００２３】
請求項７の発明では、退室時読取手段により第２の許可レベルの許可者情報が読み取られたとき、検出手段により他の第２の許可レベルの入室者（副管理者）または第３の許可レベルの入室者（主管理者）が検出される場合に、制御手段により、電気錠が解錠状態になる。これにより、副管理者は、他の副管理者または主管理者が入室している場合には、電気錠が解錠状態になり退室が許可されるので、従事者のみが入室している状態をなくしてセキュリティ性を向上させることができる。
【００２４】
請求項８の発明では、退室時読取手段により第３の許可レベルの許可者情報が読み取られたとき、検出手段により第２の許可レベルの入室者（副管理者）または他の第３の許可レベルの入室者（主管理者）が検出される場合に、制御手段により、電気錠が解錠状態になる。これにより、主管理者は、副管理者または他の主管理者が入室している場合には、電気錠が解錠状態になり退室が許可されるので、従事者のみが入室している状態をなくしてセキュリティ性を向上させることができる。
【００２５】
請求項９の発明では、退室時読取手段により第２の許可レベルまたは第３の許可レベルの許可者情報が読み取られたとき、検出手段により第１の許可レベルの入室者（従事者）のみが検出される場合に、制御手段により、電気錠が施錠状態になる。これにより、副管理者または主管理者は、自分が退室すると従事者のみが入室している状態になる場合には、電気錠が施錠状態になり退室が許可されないので、従事者のみが入室している状態をなくしてセキュリティ性をさらに向上させることができる。
【図面の簡単な説明】
【００２６】
【図１】第１実施形態に係る入退室管理システムの構成を概略的に示す平面図である。
【図２】図１の入退室管理システムの電気的構成を示すブロック図である。
【図３】第１実施形態におけるＣＰＵによる入室時の施解錠処理の流れを例示するフローチャートである。
【図４】入室時の施解錠状態を説明するための説明図であり、図４（Ａ）は、管理者の入室時の状態を示し、図４（Ｂ）は、管理者が入室している部屋への従事者の入室時の状態を示し、図４（Ｃ）は、管理者が入室していない部屋への従事者の入室時の状態を示す。
【図５】第１実施形態におけるＣＰＵによる退室時の施解錠処理の流れを例示するフローチャートである。
【図６】退室時の施解錠状態を説明するための説明図であり、図６（Ａ）は、従事者の退室時の状態を示し、図６（Ｂ）は、他の管理者が入室している部屋からの管理者の退室時の状態を示し、図６（Ｃ）は、他の管理者が入室していない部屋からの管理者の退室時の状態を示す。
【図７】第２実施形態におけるＣＰＵによる入室時の施解錠処理の流れを例示するフローチャートである。
【図８】入室時の施解錠状態を説明するための説明図であり、図８（Ａ）は、主管理者の入室時の状態を示し、図８（Ｂ）は、主管理者が入室している部屋への従事者の入室時の状態を示し、図８（Ｃ）は、主管理者が入室していない部屋への従事者の入室時の状態を示す。
【図９】第２実施形態におけるＣＰＵによる退室時の施解錠処理の流れを例示するフローチャートである。
【図１０】退室時の施解錠状態を説明するための説明図であり、図１０（Ａ）は、従事者の退室時の状態を示し、図１０（Ｂ）は、他の管理者が入室している部屋からの主管理者の退室時の状態を示し、図１０（Ｃ）は、他の管理者が入室していない部屋からの主管理者の退室時の状態を示す。
【発明を実施するための形態】
【００２７】
［第１実施形態］
以下、本発明の入退室管理システムを具現化した第１実施形態について、図面を参照して説明する。図１は、第１実施形態に係る入退室管理システム２０の構成を概略的に示す平面図である。図２は、図１の入退室管理システム２０の電気的構成を示すブロック図である。
【００２８】
入退室管理システム２０は、ＩＣカードなどの記録媒体の読み取りに応じて、部屋１０への入退室時に開閉する扉１１に設けられた電気錠２１の施解錠を行うセキュリティシステムである。当該入退室管理システム２０は、図１および図２に示すように、電気錠２１、入室用カードリーダ２３、退室用カードリーダ２４および制御装置２５を備えている。
【００２９】
電気錠２１は、公知の電磁式電気錠であって、施解錠対象である扉１１近傍の壁面に配置されており、アクチュエータ（図示略）を電磁的に駆動することで閉状態の扉１１を施錠可能に構成されている。なお、電気錠２１は、扉１１内に設けられて当該扉１１を施錠可能に構成されてもよい。
【００３０】
図１に示すように、入室用カードリーダ２３は、部屋１０の室外であって扉１１の周囲の外壁に設けられており、退室用カードリーダ２４は、部屋１０の室内であって扉１１の周囲の内壁に設けられている。入室用カードリーダ２３および退室用カードリーダ２４は、上記記録媒体が当該両カードリーダ２３，２４のカード読取面に接触または近接されることにより、当該記録媒体に記録された個人情報や入退室許可に関する情報（以下、単に許可者情報ともいう）等を読み取り、読み取った情報を読取情報として制御装置２５に出力するように構成されている。
【００３１】
本第１実施形態では、上記許可者情報には、第１の許可レベルとこの第１の許可レベルよりもセキュリティレベルが高い第２の許可レベルとのいずれか一方が含まれており、第１の許可レベルの許可者情報が記録される記録媒体を所有する利用者を従事者Ｐｅと定義し、第２の許可レベルの許可者情報が記録される記録媒体を所有する利用者を管理者Ｐｍと定義する。なお、入室用カードリーダ２３は、特許請求の範囲に記載の「入室時読取手段」の一例に相当し、退室用カードリーダ２４は、特許請求の範囲に記載の「読取手段、退出時読取手段」の一例に相当する。
【００３２】
制御装置２５は、入退室管理システム２０全体の制御を行うＣＰＵ２６と、メモリ２７等を含むように構成されており、電気錠２１および両カードリーダ２３，２４と電気的に接続されている。ＣＰＵ２６は、後述する施解錠処理を実行することにより、両カードリーダ２３，２４から入力される読取情報に応じて、電気錠２１の施解錠に関する制御を行う。また、メモリ２７は、施解錠処理を実行するためのプログラムやこの処理に関するデータ等が記憶されるように構成されている。なお、ＣＰＵ２６は、特許請求の範囲に記載の「検出手段」および「制御手段」の一例に相当し得る。
【００３３】
次に、本第１実施形態におけるＣＰＵ２６による入室時の施解錠処理について、図３および図４を用いて説明する。図３は、第１実施形態におけるＣＰＵ２６による入室時の施解錠処理の流れを例示するフローチャートである。図４は、入室時の施解錠状態を説明するための説明図であり、図４（Ａ）は、管理者Ｐｍの入室時の状態を示し、図４（Ｂ）は、管理者Ｐｍが入室している部屋１０への従事者Ｐｅの入室時の状態を示し、図４（Ｃ）は、管理者Ｐｍが入室していない部屋１０への従事者Ｐｅの入室時の状態を示す。なお、本第１実施形態では、上記記録媒体としてＩＣカード１３を所有する利用者が部屋１０に入室する場合について説明する。
【００３４】
まず、図３のステップＳ１０１において、入室用カードリーダ２３にＩＣカード１３が読み取られたか否かについて判定される。ここで、入室する利用者がいないためにＩＣカード１３が読み取られず入室用カードリーダ２３から読取情報が入力されない場合には、ステップＳ１０１にてＮｏとの判定が繰り返される。このとき、ＩＣカード１３の有効期限が切れているなど読み取りエラーが生じた場合もステップＳ１０１において同様にＮｏと判定される。
【００３５】
このような状態において、利用者がＩＣカード１３を入室用カードリーダ２３に読み取らせると（Ｓ１０１でＹｅｓ）、ステップＳ１０３にて情報取得処理がなされ、ＩＣカード１３に記録された所定の情報が上記読取情報として取得される。次に、ステップＳ１０５において、ステップＳ１０３にて取得された読取情報に許可者情報が含まれているか否かについて判定され、当該読取情報に許可者情報が含まれていなければ、Ｎｏと判定される。そして、ステップＳ１１７にて施錠処理がなされ、制御装置２５により制御されて電気錠２１が施錠状態になり、扉１１が入室不可状態になる。
【００３６】
一方、上記読取情報に許可者情報が含まれていると（Ｓ１０５でＹｅｓ）、ステップＳ１０７において、許可者情報に第２の許可レベルが含まれているか否かについて判定される。ここで、許可者情報に第２の許可レベルが含まれている場合には（Ｓ１０７でＹｅｓ）、管理者Ｐｍの入室であるとして、後述する入室状態を検出することなく、ステップＳ１１３にて入室履歴更新処理がなされる。入室履歴は、現時点における入室者とその許可レベルとがメモリ２７に記憶された読取履歴であり、上述のように管理者Ｐｍが入室する場合には、当該入室履歴に対して管理者Ｐｍの入室に関する情報が反映される。そして、ステップＳ１１５にて解錠処理がなされて、制御装置２５により制御されて電気錠２１が解錠状態になり、扉１１が入室可能状態になる。
【００３７】
すなわち、図４（Ａ）に例示するように、管理者Ｐｍが部屋１０に入室する場合には、部屋１０の入室状態に関係なく、入室が許可されることとなる。
【００３８】
一方、上記ステップＳ１０７において、許可者情報に第２の許可レベルが含まれておらず第１の許可レベルが含まれている場合には、従事者Ｐｅの入室であるとして、Ｎｏと判定される。次に、ステップＳ１０９において、入室状態検出処理がなされる。この処理では、メモリ２７に記憶された入室履歴に基づいて、現時点における入室者とその許可レベルとが検出される。続いて、ステップＳ１１１にて管理者Ｐｍが入室中か否かについて判定され、上記入室履歴から管理者Ｐｍが入室中であると判定される場合には（Ｓ１１１でＹｅｓ）、上述したステップＳ１１３以降の処理がなされて、扉１１が入室可能状態になる。
【００３９】
すなわち、図４（Ｂ）に例示するように、従事者Ｐｅが部屋１０に入室する場合には、部屋１０に管理者Ｐｍが入室している場合に限り、入室が許可されることとなる。
【００４０】
また、上記ステップＳ１１１において、上記入室履歴から管理者Ｐｍが入室中でないと判定される場合には（Ｓ１１１でＮｏ）、ステップＳ１１７にて施錠処理がなされ、扉１１が入室不可状態になる。
【００４１】
すなわち、図４（Ｃ）に例示するように、従事者Ｐｅが部屋１０に入室するとき、部屋１０に管理者Ｐｍが入室していない場合には、入室が許可されないこととなる。
【００４２】
次に、第１実施形態におけるＣＰＵ２６による退室時の施解錠処理について、図５および図６を用いて説明する。図５は、第１実施形態におけるＣＰＵ２６による退室時の施解錠処理の流れを例示するフローチャートである。図６は、退室時の施解錠状態を説明するための説明図であり、図６（Ａ）は、従事者Ｐｅの退室時の状態を示し、図６（Ｂ）は、他の管理者Ｐｍ’が入室している部屋からの管理者Ｐｍの退室時の状態を示し、図６（Ｃ）は、他の管理者が入室していない部屋からの管理者Ｐｍの退室時の状態を示す。
【００４３】
まず、図５のステップＳ２０１において、退室用カードリーダ２４にＩＣカード１３が読み取られたか否かについて判定される。ここで、退室する利用者がいないためにＩＣカード１３が読み取られず退室用カードリーダ２４から読取情報が入力されない場合には、ステップＳ２０１にてＮｏとの判定が繰り返される。
【００４４】
このような状態において、利用者がＩＣカード１３を退室用カードリーダ２４に読み取らせると（Ｓ２０１でＹｅｓ）、ステップＳ２０３にて情報取得処理がなされ、ＩＣカード１３に記録された所定の情報が上記読取情報として取得される。次に、ステップＳ２０５において、ステップＳ２０３にて取得された読取情報に許可者情報が含まれているか否かについて判定され、当該読取情報に許可者情報が含まれていなければ、Ｎｏと判定される。そして、ステップＳ２１９にて施錠処理がなされ、扉１１が退室不可状態になる。
【００４５】
一方、上記読取情報に許可者情報が含まれていると（Ｓ２０５でＹｅｓ）、ステップＳ２０７において、許可者情報に第２の許可レベルが含まれているか否かについて判定される。ここで、許可者情報に第２の許可レベルが含まれていない場合には（Ｓ２０７でＮｏ）、従事者Ｐｅの退室であるとして、入室状態を検出することなく、ステップＳ２１５にて入室履歴更新処理がなされ、上記入室履歴に対して従事者Ｐｅの退室に関する情報が反映される。そして、ステップＳ２１７にて解錠処理がなされて、制御装置２５により制御されて電気錠２１が解錠状態になり、扉１１が退室可能状態になる。
【００４６】
すなわち、図６（Ａ）に例示するように、従事者Ｐｅが部屋１０から退室する場合には、部屋１０の入室状態に関係なく、退室が許可されることとなる。
【００４７】
一方、上記ステップＳ２０７において、許可者情報に第２の許可レベルが含まれている場合には、管理者Ｐｍの退室であるとして、Ｙｅｓと判定される。次に、ステップＳ２０９において、入室状態検出処理がなされて、メモリ２７に記憶された入室履歴に基づいて、現時点における入室者とその許可レベルとが検出される。続いて、ステップＳ２１１にて他の管理者が入室中か否かについて判定され、上記入室履歴から他の管理者Ｐｍ’が入室中であると判定される場合には（Ｓ２１１でＹｅｓ）、上述したステップＳ２１５以降の処理がなされて、扉１１が退室可能状態になる。
【００４８】
すなわち、図６（Ｂ）に例示するように、管理者Ｐｍが部屋１０から退室する場合には、部屋１０に他の管理者Ｐｍ’が入室している場合に限り、退室が許可されることとなる。
【００４９】
また、上記ステップＳ２１１において、上記入室履歴から他の管理者が入室中でないと判定される場合には（Ｓ２１１でＮｏ）、ステップＳ２１３にて従事者Ｐｅが入室中か否かについて判定される。ここで、従事者Ｐｅが入室中であると判定される場合には（Ｓ２１３でＹｅｓ）、ステップＳ２１９にて施錠処理がなされる。この処理では、制御装置２５により制御されて電気錠２１が施錠状態になり、扉１１が退室不可状態になる。
【００５０】
すなわち、図６（Ｃ）に例示するように、管理者Ｐｍが部屋１０から退室するとき、部屋１０に従事者Ｐｅのみが入室している場合には、退室が許可されないこととなる。
【００５１】
また、上記ステップＳ２１３において、従事者Ｐｅが入室中でないと判定される場合には（Ｓ２１３でＮｏ）、当該管理者Ｐｍが最終退室者となるので、上述したステップＳ２１５以降の処理がなされて、扉１１が退室可能状態になる。
【００５２】
以上説明したように、本第１実施形態に係る入退室管理システム２０では、ＩＣカード１３に記録される許可者情報には、第１の許可レベルとこの第１の許可レベルよりもセキュリティレベルが高い第２の許可レベルとのいずれか一方が含まれる。そして、入室用カードリーダ２３により第１の許可レベルの許可者情報が読み取られたとき、メモリ２７に記憶された入室履歴に応じて第２の許可レベルの入室者（管理者Ｐｍ）が検出される場合に、制御装置２５により電気錠２１が解錠状態になる。
【００５３】
これにより、従事者Ｐｅは、管理者Ｐｍが入室していれば、所有するＩＣカード１３の許可者情報の読み取りに応じて電気錠２１が解錠状態になり部屋１０への入室が許可されるので、セキュリティに関する管理者Ｐｍの負荷を軽減することができる。また、従事者Ｐｅは、管理者Ｐｍが入室していなければ、電気錠２１が解錠状態にならないので、セキュリティ性を確保することができる。
したがって、入退室管理システム２０におけるセキュリティ性および利便性を向上させることができる。
【００５４】
また、本第１実施形態に係る入退室管理システム２０では、入室用カードリーダ２３により第２の許可レベルの許可者情報が読み取られたとき、上記入室履歴を考慮することなく、制御装置２５により電気錠２１が解錠状態になる。これにより、管理者Ｐｍであれば、入室時に上記入室履歴に応じて入室者の許可レベルを検出することもないので、スムーズに入室することができる。
【００５５】
さらに、本第１実施形態に係る入退室管理システム２０では、退室用カードリーダ２４により第２の許可レベルの許可者情報が読み取られたとき、上記入室履歴により他の管理者Ｐｍ’が検出される場合に、制御装置２５により電気錠２１が解錠状態になる。これにより、管理者Ｐｍは、他の管理者Ｐｍ’が入室している場合には、電気錠２１が解錠状態になり退室が許可されるので、従事者Ｐｅのみが入室している状態をなくしてセキュリティ性を向上させることができる。
【００５６】
また、本第１実施形態に係る入退室管理システム２０では、退室用カードリーダ２４により第１の許可レベルの許可者情報が読み取られたとき、上記入室履歴を考慮することなく、制御装置２５により電気錠２１が解錠状態になる。これにより、従事者Ｐｅであれば、退室時に上記入室履歴に応じて入室者の許可レベルを検出することもないので、スムーズに退室することができる。
【００５７】
さらに、本第１実施形態に係る入退室管理システム２０では、退室用カードリーダ２４により第２の許可レベルの許可者情報が読み取られたとき、上記入室履歴により従事者Ｐｅのみが検出される場合に、制御装置２５により電気錠２１が施錠状態になる。これにより、管理者Ｐｍは、自分が部屋１０から退室すると従事者Ｐｅのみが入室している状態になる場合には、電気錠２１が施錠状態になり退室が許可されないので、従事者Ｐｅのみが入室している状態をなくしてセキュリティ性を向上させることができる。
【００５８】
［第２実施形態］
次に、本発明の第２実施形態に係る入退室管理システムについて図７〜図１０を参照して説明する。図７は、本第２実施形態に係るＣＰＵ２６による入室時の施解錠処理の流れを例示するフローチャートである。図８は、入室時の施解錠状態を説明するための説明図であり、図８（Ａ）は、主管理者Ｐｍａの入室時の状態を示し、図８（Ｂ）は、主管理者Ｐｍａが入室している部屋への従事者Ｐｅの入室時の状態を示し、図８（Ｃ）は、主管理者Ｐｍａが入室していない部屋への従事者Ｐｅの入室時の状態を示す。図９は、本第２実施形態に係るＣＰＵによる退室時の施解錠処理の流れを例示するフローチャートである。図１０は、退室時の施解錠状態を説明するための説明図であり、図１０（Ａ）は、従事者Ｐｅの退室時の状態を示し、図１０（Ｂ）は、他の管理者が入室している部屋からの主管理者Ｐｍａの退室時の状態を示し、図１０（Ｃ）は、他の管理者が入室していない部屋からの管理者Ｐｍａの退室時の状態を示す。
【００５９】
本第２実施形態に係る入退室管理システム２０では、上記許可者情報には、上述した第１の許可レベルおよび第２の許可レベルと、第２の許可レベルよりもセキュリティレベルが高い第３の許可レベルとのいずれか１つが含まれる点が、上記第１実施形態に係る入退室管理システムと異なる。したがって、上述した第１実施形態の入退室管理システムと実質的に同一の構成部分には同一符号を付し、説明を省略する。
【００６０】
本第２実施形態では、第１の許可レベルの許可者情報が記録される記録媒体を所有する利用者を従事者Ｐｅと定義し、第２の許可レベルの許可者情報が記録される記録媒体を所有する利用者を副管理者Ｐｍｂと定義し、第３の許可レベルの許可者情報が記録される記録媒体を所有する利用者を主管理者Ｐｍａと定義する。また、本第２実施形態では、副管理者Ｐｍｂに対するセキュリティ性を、入室時と退室時とで変更している。すなわち、副管理者Ｐｍｂは、入室時にはキーパーソンとならず、退室時ではキーパーソンとなるように定義されている。
【００６１】
以下、本第２実施形態におけるＣＰＵ２６による入室時の施解錠処理について、図７のフローチャートを用いて説明する。
上記第１実施形態における入室時の施解錠処理と同様に、図７のステップＳ１０３までの処理がなされ、ステップＳ１０５にて、取得された読取情報に許可者情報が含まれていると（Ｓ１０５でＹｅｓ）、ステップＳ１０７ａにおいて、許可者情報に第３の許可レベルが含まれているか否かについて判定される。ここで、許可者情報に第３の許可レベルが含まれている場合には（Ｓ１０７ａでＹｅｓ）、主管理者Ｐｍａの入室であるとして、入室状態を検出することなく、ステップＳ１１３以降の処理がなされ、扉１１が入室可能状態になる。
【００６２】
すなわち、図８（Ａ）に例示するように、主管理者Ｐｍａが部屋１０に入室する場合には、部屋１０の入室状態に関係なく、入室が許可されることとなる。
【００６３】
一方、上記ステップＳ１０７ａにおいて、許可者情報に第３の許可レベルが含まれておらず第１の許可レベルまたは第２の許可レベルが含まれている場合には、従事者Ｐｅまたは副管理者Ｐｍｂの入室であるとして、Ｎｏと判定される。次に、ステップＳ１０９にて入室状態検出処理がなされ、ステップＳ１１１ａにて主管理者Ｐｍａが入室中か否かについて判定される。ここで、上記入室履歴から主管理者Ｐｍａが入室中であると判定される場合には（Ｓ１１１ａでＹｅｓ）、上述したステップＳ１１３以降の処理がなされて、扉１１が入室可能状態になる。
【００６４】
すなわち、図８（Ｂ）に例示するように、従事者Ｐｅが部屋１０に入室する場合には、部屋１０に主管理者Ｐｍａが入室している場合に限り、入室が許可されることとなる。また、副管理者Ｐｍｂが部屋１０に入室する場合であっても、部屋１０に主管理者Ｐｍａが入室している場合に限り、入室が許可されることとなる。
【００６５】
また、上記ステップＳ１１１ａにおいて、上記入室履歴から主管理者Ｐｍａが入室中でないと判定される場合には（Ｓ１１１ａでＮｏ）、ステップＳ１１７にて施錠処理がなされ、扉１１が入室不可状態になる。
【００６６】
すなわち、図８（Ｃ）に例示するように、従事者Ｐｅが部屋１０に入室するとき、部屋１０に主管理者Ｐｍａが入室していない場合には、入室が許可されないこととなる。また、副管理者Ｐｍｂが部屋１０に入室するときも、部屋１０に主管理者Ｐｍａが入室していない場合には、入室が許可されないこととなる。
【００６７】
次に、第２実施形態におけるＣＰＵ２６による退室時の施解錠処理について、図９のフローチャートを用いて説明する。
上記第１実施形態における退室時の施解錠処理と同様に、図９のステップＳ２０３までの処理がなされ、ステップＳ２０５にて、取得された読取情報に許可者情報が含まれていると（Ｓ２０５でＹｅｓ）、ステップＳ２０７ａにおいて、許可者情報に第２の許可レベルまたは第３の許可レベルが含まれているか否かについて判定される。ここで、許可者情報に第２の許可レベルまたは第３の許可レベルが含まれていない場合には、従事者Ｐｅの退室であるとして（Ｓ２０７ａでＮｏ）、入室状態を検出することなく、ステップＳ２１５以降の処理がなされ、扉１１が退室可能状態になる。
【００６８】
すなわち、図１０（Ａ）に例示するように、従事者Ｐｅが部屋１０から退室する場合には、部屋１０の入室状態に関係なく、退室が許可されることとなる。
【００６９】
一方、上記ステップＳ２０７ａにおいて、許可者情報に第２の許可レベルまたは第３の許可レベルが含まれている場合には、副管理者Ｐｍｂまたは主管理者Ｐｍａの退室であるとして、Ｙｅｓと判定される。次に、ステップＳ２０９にて入室状態検出処理がなされ、ステップＳ２１１ａにて他の管理者（自分と異なる副管理者または主管理者）が入室中か否かについて判定される。ここで、上記入室履歴から他の管理者が入室中であると判定される場合には（Ｓ２１１ａでＹｅｓ）、上述したステップＳ２１５以降の処理がなされて、扉１１が退室可能状態になる。
【００７０】
すなわち、図１０（Ｂ）に例示するように、主管理者Ｐｍａが部屋１０から退室する場合には、部屋１０に副管理者Ｐｍｂまたは他の主管理者Ｐｍａ’が入室している場合に限り、退室が許可されることとなる。また、副管理者Ｐｍｂが部屋１０から退室する場合には、部屋１０に他の副管理者Ｐｍｂ‘または主管理者Ｐｍａが入室している場合に限り、退室が許可されることとなる。
【００７１】
また、上記ステップＳ２１１ａにおいて、上記入室履歴から他の管理者が入室中でないと判定される場合には（Ｓ２１１ａでＮｏ）、ステップＳ２１３にて従事者Ｐｅが入室中か否かについて判定される。ここで、従事者Ｐｅが入室中であると判定される場合には（Ｓ２１３でＹｅｓ）、ステップＳ２１９にて施錠処理がなされて、制御装置２５により制御されて電気錠２１が施錠状態になり、扉１１が退室不可状態になる。
【００７２】
すなわち、図１０（Ｃ）に例示するように、主管理者Ｐｍａが部屋１０から退室するとき、部屋１０に従事者Ｐｅのみが入室している場合には、退室が許可されないこととなる。また、副管理者Ｐｍｂが部屋１０から退室するときも、部屋１０に従事者Ｐｅのみが入室している場合には、退室が許可されないこととなる。
【００７３】
また、上記ステップＳ２１３において、従事者Ｐｅが入室中でないと判定される場合には（Ｓ２１３でＮｏ）、当該副管理者Ｐｍｂまたは主管理者Ｐｍａが最終退室者となるので、上述したステップＳ２１５以降の処理がなされて、扉１１が退室可能状態になる。
【００７４】
以上説明したように、本第２実施形態に係る入退室管理システム２０では、許可者情報には、第１の許可レベルおよび第２の許可レベルと、第２の許可レベルよりもセキュリティレベルが高い第３の許可レベルとのいずれか１つが含まれる。そして、入室用カードリーダ２３により第１の許可レベルおよび２の許可レベルのいずれか一方の許可者情報が読み取られたとき、メモリ２７に記憶された入室履歴に応じて第３の許可レベルの入室者（主管理者Ｐｍａ）が検出される場合に、制御装置２５により電気錠２１が解錠状態になる。
【００７５】
これにより、上述した副管理者Ｐｍｂおよび主管理者Ｐｍａのように複数人の管理者に対して許可レベルを変える場合、従事者Ｐｅまたは副管理者Ｐｍｂは、主管理者Ｐｍａが入室していれば、所有するＩＣカード１３の許可者情報の読み取りに応じて電気錠２１が解錠状態になり部屋１０への入室が許可されるので、セキュリティに関する主管理者Ｐｍａの負荷を軽減することができる。また、従事者Ｐｅまたは副管理者Ｐｍｂは、主管理者Ｐｍａが入室していなければ、電気錠２１が解錠状態にならないので、セキュリティ性を確保することができる。
【００７６】
また、本第２実施形態に係る入退室管理システム２０では、退室用カードリーダ２４により第２の許可レベルの許可者情報が読み取られたとき、上記入室履歴により他の副管理者Ｐｍｂ‘または主管理者Ｐｍａが検出される場合に、制御装置２５により電気錠２１が解錠状態になる。これにより、副管理者Ｐｍｂは、他の副管理者Ｐｍｂ‘または主管理者Ｐｍａが入室している場合には、電気錠２１が解錠状態になり退室が許可されるので、従事者Ｐｅのみが入室している状態をなくしてセキュリティ性を向上させることができる。なお、副管理者Ｐｍｂに対しては、主管理者Ｐｍａが入室している場合に限り、電気錠２１が解錠状態になり退室が許可されてもよい。
【００７７】
さらに、本第２実施形態に係る入退室管理システム２０では、退室用カードリーダ２４により第３の許可レベルの許可者情報が読み取られたとき、上記入室履歴により副管理者Ｐｍｂまたは他の主管理者Ｐｍａ’が検出される場合に、制御装置２５により電気錠２１が解錠状態になる。これにより、主管理者Ｐｍａは、副管理者Ｐｍｂまたは他の主管理者Ｐｍａ’が入室している場合には、電気錠２１が解錠状態になり退室が許可されるので、従事者Ｐｅのみが入室している状態をなくしてセキュリティ性を向上させることができる。なお、主管理者Ｐｍａに対しては、他の主管理者Ｐｍａ’が入室していか、または、自分が最終退室者である場合に限り、電気錠２１が解錠状態になり退室が許可されてもよい。
【００７８】
さらにまた、本第２実施形態に係る入退室管理システム２０では、退室用カードリーダ２４により第３の許可レベルの許可者情報が読み取られたとき、上記入室履歴により従事者Ｐｅのみが検出される場合に、制御装置２５により電気錠２１が解錠状態になる。これにより、副管理者Ｐｍｂまたは主管理者Ｐｍａは、自分が退室すると従事者Ｐｅのみが入室している状態になる場合には、電気錠２１が施錠状態になり退室が許可されないので、従事者Ｐｅのみが入室している状態をなくしてセキュリティ性をさらに向上させることができる。
【符号の説明】
【００７９】
１０…部屋
１１…扉
１３…ＩＣカード（記録媒体）
２０…入退室管理システム
２１…電気錠
２３…入室用カードリーダ（入室時読取手段）
２４…退室用カードリーダ（退室時読取手段）
２５…制御装置（制御手段，検出手段）
２６…ＣＰＵ（制御手段，検出手段）
２７…メモリ（検出手段）
Ｐｅ…従事者
Ｐｍ…管理者
Ｐｍａ…主管理者
Ｐｍｂ…副管理者
【図１】
2011179250.tif 000003
【図２】
2011179250.tif 000004
【図３】
2011179250.tif 000005
【図４】
2011179250.tif 000006
【図５】
2011179250.tif 000007
【図６】
2011179250.tif 000008
【図７】
2011179250.tif 000009
【図８】
2011179250.tif 000010
【図９】
2011179250.tif 000011
【図１０】
2011179250.tif 000012